(57)【要約】【課題】  従来のリング状綴じ具と同様な機能を備え、しかもリサイクルなどを簡単に行える、改良されたリング状紙製綴じ具を提供すること。【解決手段】  一枚の用紙の中間部を中空筒状に曲げて筒状綴じ部１１を形成すると共に、該筒状綴じ部１１の筒と平行な前記用紙の両端部を接着剤１５を塗布して接合する対向した接合部１２，１３に形成し、前記綴じ部１１に穴２１を有する複数の紙葉２０を綴じ込み、前記接合部１２，１３同士を合掌状に接着したこと。【選択図】図６
0003121146.tif 000002
【実用新案登録請求の範囲】
【請求項１】
一枚の用紙の中間部を中空筒状に曲げて筒状綴じ部を形成すると共に、該筒状綴じ部の筒と平行な前記用紙の両端部を接着剤を塗布して接合する対向した接合部に形成し、前記綴じ部に穴を有する複数の紙葉を綴じ込み、前記接合部同士を合掌状に接着したことを特徴とするリング状綴じ具。
【請求項２】
一枚の用紙は、単数枚の用紙又は単一または複数の用紙を積層接着して一枚の用紙に形成した請求項１のリング状綴じ具。
【請求項３】
筒状綴じ部は、円形断面又は多角形断面をなす請求項１又は２のリング状綴じ具。
【請求項４】
筒状綴じ部の多角形は、その稜線に沿って折り目線を形成した請求項３のリング状綴じ具。
【請求項５】
少なくとも２つの筒状綴じ部を一枚の用紙で形成すると共に、前記筒状綴じ部に連続した対向する接合部の一方を隣接した筒状綴じ部の接合部と一体に形成した請求項１〜４のいずれかのリング状綴じ具。
【考案の詳細な説明】
【技術分野】
【０００１】
本考案はリング状紙製綴じ具に関する。
【背景技術】
【０００２】
従来より開放されたリング状の綴じ具を使用したノートブック、カレンダー、書籍などは公知である。このリング状綴じ具は、金属製や合成樹脂製のコイル状のもので、複数枚の紙葉の綴じ代ある複数の綴じ孔にその開放端部から綴じ孔に通すことによって、紙葉を綴じるようになっている。
【０００３】
近年、ノートやカレンダーの綴じ具において、紙葉とは異種の材料を使用することを避け、リサイクルを簡単に行える環境に優しいノートやカレンダーなどの商品の開発が望まれている。このために、プラスチック製や金属製綴じ具を全く使用していないカレンダーなどが提案されている（例えば特許文献１を参照）。
【０００４】
提案されているカレンダーは複数枚の紙葉の綴じ代に多数の孔を設け、接着剤を各孔に充填して紙葉を綴ったあと、Ｕ字断面の紙製閉じ具を綴じ代に被せてそこを接着している。
【０００５】
また、焼却してもダイオキシンなどの有毒物質が発生しないポリエチレン樹脂又はポリプロピレン樹脂を使用したカレンダー用の綴じ具も提案されている（例えば特許文献２を参照）。この綴じ具は、リング状の綴じ部材と綴じ棒からなり、リング状綴じ部材をカレンダーの綴じ孔に通し、綴じ棒を綴じ部材に嵌め込み、綴じ部材をかしめることで、紙葉を綴じるようにしている。
【０００６】
しかしながら、段落０００４の綴じ具は全てが紙からなるため、リサイクルを簡単に行えるが、綴じ構造が複雑であって、専用機械を必要とし、綴じコストがかさむと考えられる。また、段落０００５の綴じ具は、焼却に有毒物質を発生しなくても、自治体などによっては紙と合成樹脂とを分別することが要求されるため、他の合成樹脂や金属を用いた綴じ具と用済み後の手間に変わりはないという問題がある。
【特許文献１】特開平０８ー３１８６８７号公報（特許第３２４３１５２号明細書）
【特許文献２】実用新案登録第３０７５２００号公報
【考案の開示】
【考案が解決しようとする課題】
【０００７】
本考案は、上記のような現状に鑑み、従来のリング状綴じ具と同様な機能を備え、しかもリサイクルなどを簡単に行える、改良されたリング状紙製綴じ具を提供することを、その課題とする。
【課題を解決するための手段】
【０００８】
上記課題を解決することを目的としてなされた本考案リング状紙製綴じ具の構成は、一枚の用紙の中間部を中空筒状に曲げて筒状綴じ部を形成すると共に、該筒状綴じ部の筒と平行な前記用紙の両端部を接着剤を塗布して接合する対向した接合部に形成し、前記綴じ部に穴を有する複数の紙葉を綴じ込み、前記接合部同士を合掌状に接着したことを特徴とするものである。
【０００９】
本考案における、一枚の用紙は、単数枚の用紙又は単一または複数の用紙を積層接着して一枚の用紙に形成した用紙のいずれであってもよい。また、筒状綴じ部は、円形断面のほか任意の多角形断面に形成したものとすることができる。更に、用紙の材質は、天然パルプを使用した紙が最も望ましいが、焼却しても有害物質が出ない合成紙系の用紙であってもよい。
【００１０】
筒状綴じ部が多角形断面の場合には、その稜線に沿って折り目線を形成すると曲げ易く、見栄えもよい。また、本考案では、少なくとも２つの筒状綴じ部を一枚の用紙で形成すると共に、前記筒状綴じ部に連続した対向する接合部の一方を、隣接した筒状綴じ部の接合部と一体に形成したものでもある。
【考案の効果】
【００１１】
本考案のリング状紙製綴じ具は、一枚の用紙の中間部を中空筒状に曲げて筒状綴じ部を形成すると共に、該筒状綴じ部の筒と平行な前記用紙の両端部を接着剤を塗布して接合する対向した接合部に形成し、前記綴じ部に穴を有する複数の紙葉を綴じ込み、前記接合部同士を合掌状に接着したので、従来のリング状綴じ具と同様な機能を備え、しかもリサイクルなどを簡単に行うことができる。
【００１２】
即ち、本考案のリング状紙製綴じ具は、一枚の用紙からなっているため、それに綴っている紙葉と一緒に、分別することなしにそのまま廃棄することができ、又、リサイクルも容易に行うことができる。しかも、綴じ具の表面には色彩、図形、文字などを簡単に印刷することができるので、デザイン上の自由度が高く、これを低コストで実施することができる。そして、接合部同士を合掌状に接着することで閉断面構造にし、筒状綴じ部に通される複数の紙葉を綴じ込んでいるため、従来のこの種のリング状綴じ具と同様に、複数の紙葉を綴じることができて、使用者が違和感を憶えることなく使うことができる。
【考案を実施するための最良の形態】
【００１３】
以下、添付図を参照して本考案リング状綴じ具の実施を説明する。添付図において、図１は本考案リング状綴じ具の実施の形態の一例を示す斜視図、図２は図２の２−２線に沿う拡大断面図、図３は図１及び図２に示すリング状紙製綴じ具を備える卓上カレンダーの斜視図、図４は図３に示す卓上カレンダーの本考案リング状紙製綴じ具付近を断面として表した説明図、図５は本考案リング状綴じ具の実施形態の他例を示す斜視図、図６は図５に示すリング状紙製綴じ具の展開図である。
【００１４】
本考案によるリング状紙製綴じ具１０は、図１及び図２に示すように、筒状綴じ部１１と、綴じ部１１の両側に連なる一対の対向する接合部１２，１３とを備えている。
【００１５】
筒状綴じ部１１と接合部１２，１３は、ここでは一例として一枚の厚紙によって形成されている。本考案における用紙は、単一枚の厚紙のほか、少なくとも２枚の用紙を積層接着して厚紙状にしたものであってもよい。ここで、筒状綴じ部１１は、この厚紙に四本の折り目線１４ａ〜１４ｆを備えて形成されており、折り目線１４ａ〜１４ｆを山折り曲げることによって、断面四角形の筒状に形成されている。折り目線１４ａ〜１４ｆは、厚紙の厚みを線状に薄くすることによって、又は、浅い切れ込みを一直線上に設けるなどによって形成される。
【００１６】
接合部１２は、前記厚紙による筒状綴じ部１１の両側に対をなすように形成されており、対向面が接着剤１８によって合掌状に接合されている。接着剤１５としては、例えば澱粉系の糊が好ましく、化学系糊であれば燃やしても有毒ガスを発生しないものが使用される。
【００１７】
本考案リング状紙製綴じ具１０によって綴じられる紙葉２０は、ノートブックの紙葉、写真アルバムの台紙や書籍のページを構成する紙葉などであり、各紙葉の一側縁に沿って綴じ孔２１が開口されている。紙葉２０は、接合部１２，１３を接合していない状態にある本考案綴じ具１０の綴じ部１１に各紙葉２０の綴じ孔２１に通したあと、折り目線１４ａ〜１４ｆに沿って曲げ、複数の紙葉２０を保持する断面略四角形の筒状綴じ部１１に形成すると共に、接合部１２，１３の対向面を接着剤１５で合掌状に接合することにより綴じられたノートブックやカレンダーなどに製本される。
【００１８】
本考案天然紙製綴じ具１０は、上記のように綴じ部１１に連らなる接合部１２，１３を合掌状に接合一体化することにより閉断面構造に形成し、筒状綴じ部１１を通された複数の紙葉２０を綴じるので、各紙葉２０を強固に綴ることができる。よって、本考案綴じ具は、通常の合成樹脂や金属のリング状綴じ具と同じに使うことができ、使用者が違和感を憶えることなく、使用することができる。さらに、綴じる対象物である紙葉２０と同じようにすべて天然の紙から形成されているため、分別せずに、そのまま捨てることができて、廃棄がきわめて簡単である。また、綴じ具１０の表面には適宜の色彩、図形、文字などを簡単にかつ低コストで印刷することができるので、グラフィックデザイン上の自由度も高い。
【００１９】
上述した本考案綴じ具１０は、例えば、図３に示す卓上カレンダーに使用される。
【００２０】
カレンダー紙葉２０Ａは、図４において６枚だけ示されているが、実際には、例えば表紙を含めて１３枚あり、１２枚に各々に月、日及び曜日を示す文字やメモ欄などが印刷されている。上縁は、綴じ代となっていて、ここに長方形状の綴じ孔２１が左右側に二個明けられている。カレンダー台３０は、三角柱状に厚紙を折り曲げたもので、折り目線３１ａ，３１ｂを山折りし、中間にある折り目線３１ｃを谷折りして中空三角筒状に形成することにより、一側面がカレンダー紙葉２０Ａと同サイズに重なり合うようになっている。カレンダー台３０の上端にも、綴じ孔２１と同じサイズの綴じ孔３２が明けられている。なお、これらの折り目線３１ａ〜３３ｃも、厚紙の厚みを直線状に薄くすることによって、又、浅い切れ込み線を一直線上に設けることによって形成される。
【００２１】
本考案紙製綴じ具１０，１０は、カレンダー紙葉２０Ａ及びカレンダー台３０を左右一対（左右の２個）をなす綴じ部１１，１１で綴じられている。即ち、平坦な状態において本考案によるリング状紙製綴じ具１０の綴じ部１１，１１をカレンダー紙葉２０Ａの綴じ孔２１，２１とカレンダー台３０の綴じ孔に通したあと、折り目線１４ａ〜１４ｆに沿って折り曲げ、左右のそれぞれの接合部１２，１３の対向面に接着剤を塗布して合掌状に接合することで、カレンダー紙葉２０Ａとカレンダー台３０を綴じている。
【００２２】
本考案紙製綴じ具１０によって綴じられたカレンダーは、従来のリング状綴じ具と同様に機能し、カレンダー紙葉２０Ａを容易にめくることができる。そして、カレンダー自体が不用になったら、綴じ具を外すことなくそのまま廃棄してリサイクルすることができ、又、そのまま焼却しても全ての材料が紙製であるから環境を損ねる有毒ガスなどが発生しない。
【００２３】
左右で２組の合掌接合部１２，１３の長さは、任意であるが接着剤１５の接着強度などによって適宜決めればよい。また、接着した各接合部１２，１３は紙葉２０Ａと表紙の間に位置させることにより、図４に示すように、葉の下に隠れるので、カレンダー紙葉２０Ａの表示を邪魔しない。
【００２４】
図５，図６は本考案紙製綴じ具の他の構成例を示している。この綴じ具１０は、左右一対の綴じ部１１，１１における接合部の一方を一体化した形態のものである。
【００２５】
図６に示すように、この綴じ具１０は、展開状態において、下向きのコ字状の一枚の紙からなるもので、両脚となる左右の綴じ部１１，１１の下部端付近にそれぞれの一方の接合部１３，１３が形成され、それらの上に四本の折り目線１４ａ〜１４ｆによって２つの筒状綴じ部１１，１１が形成され、他方の接合部１２が左右の綴じ部１１，１１と連続した一体形となっている。
【００２６】
図６の綴じ具１０によるカレンダー紙葉などの紙葉２０の綴りは、図６に示すように、個々の接合部１３，１３を綴じ孔２１，２１に通し、各折り目線１４ａ〜１４ｆに沿って曲げて左右の筒状綴じ部１１，１１を形成したあと、個々の接合部１３，１３を左右一体形の接合部１２に接着剤１８によって貼り付けることによりなされる。
【００２７】
このようなリング状紙製綴じ具１０も、従来のこの種のリング状綴じ具と同様に機能して、紙葉２０を容易にめくることができ、不用になったら、全体が紙からなっているため、そのまま分別せずに廃棄して、リサイクルすることができ、焼却しても有毒ガスなどを発生しない。そして、合掌接合部１２の面積が大きいので、会社名などを印刷したり、色彩を紙葉２０に関連して変えたりすることで、使用者の注目を引くことができ、宣伝媒体としても有効である。
【００２８】
なお、以上説明したリング状紙製綴じ具において、筒状綴じ部１１は断面四角形の筒状に形成されているが、三角、六角などの他の多角形断面に形成しても、断面丸形や異形断面の丸形（長円や楕円など）に形成してもよい。
【図面の簡単な説明】
【００２９】
【図１】本考案リング状綴じ具の実施の形態の一例を示す斜視図。
【図２】図２の２−２線に沿う拡大断面図。
【図３】図１及び図２に示すリング状紙製綴じ具を備える卓上カレンダーの斜視図。
【図４】図３に示す卓上カレンダーの本考案リング状紙製綴じ具付近を断面として表した説明図。
【図５】本考案リング状綴じ具の実施形態の他例を示す斜視図。
【図６】図５に示すリング状紙製綴じ具の展開図。
【符号の説明】
【００３０】
１０            リング状紙製綴じ具
１１            筒状綴じ部
１２，１３      合掌接合部
１４ａ〜１４ｆ  折り目線
１５            接着剤
２０            紙葉
２０Ａ          カレンダー紙葉
２１            綴じ孔
３０            カレンダー台
３１ａ〜３３ｃ  折り目線
【図１】
0003121146.tif 000003
【図２】
0003121146.tif 000004
【図３】
0003121146.tif 000005
【図４】
0003121146.tif 000006
【図５】
0003121146.tif 000007
【図６】
0003121146.tif 000008
【手続補正書】
【提出日】平成18年2月22日(2006.2.22)
【手続補正１】
【補正対象書類名】明細書
【補正対象項目名】全文
【補正方法】変更
【補正の内容】
【考案の詳細な説明】
【技術分野】
【０００１】
本考案はリング状紙製綴じ具に関する。
【背景技術】
【０００２】
従来より開放されたリング状の綴じ具を使用したノートブック、カレンダー、書籍などは公知である。このリング状綴じ具は、金属製や合成樹脂製のコイル状のもので、複数枚の紙葉の綴じ代ある複数の綴じ孔にその開放端部から綴じ孔に通すことによって、紙葉を綴じるようになっている。
【０００３】
近年、ノートやカレンダーの綴じ具において、紙葉とは異種の材料を使用することを避け、リサイクルを簡単に行える環境に優しいノートやカレンダーなどの商品の開発が望まれている。このために、プラスチック製や金属製綴じ具を全く使用していないカレンダーなどが提案されている（例えば特許文献１を参照）。
【０００４】
提案されているカレンダーは複数枚の紙葉の綴じ代に多数の孔を設け、接着剤を各孔に充填して紙葉を綴ったあと、Ｕ字断面の紙製閉じ具を綴じ代に被せてそこを接着している。
【０００５】
また、焼却してもダイオキシンなどの有毒物質が発生しないポリエチレン樹脂又はポリプロピレン樹脂を使用したカレンダー用の綴じ具も提案されている（例えば特許文献２を参照）。この綴じ具は、リング状の綴じ部材と綴じ棒からなり、リング状綴じ部材をカレンダーの綴じ孔に通し、綴じ棒を綴じ部材に嵌め込み、綴じ部材をかしめることで、紙葉を綴じるようにしている。
【０００６】
しかしながら、段落０００４の綴じ具は全てが紙からなるため、リサイクルを簡単に行えるが、綴じ構造が複雑であって、専用機械を必要とし、綴じコストがかさむと考えられる。また、段落０００５の綴じ具は、焼却に有毒物質を発生しなくても、自治体などによっては紙と合成樹脂とを分別することが要求されるため、他の合成樹脂や金属を用いた綴じ具と用済み後の手間に変わりはないという問題がある。
【特許文献１】特開平０８ー３１８６８７号公報（特許第３２４３１５２号明細書）
【特許文献２】実用新案登録第３０７５２００号公報
【考案の開示】
【考案が解決しようとする課題】
【０００７】
本考案は、上記のような現状に鑑み、従来のリング状綴じ具と同様な機能を備え、しかもリサイクルなどを簡単に行える、改良されたリング状紙製綴じ具を提供することを、その課題とする。
【課題を解決するための手段】
【０００８】
上記課題を解決することを目的としてなされた本考案リング状紙製綴じ具の構成は、一枚の用紙の中間部を中空筒状に曲げて筒状綴じ部を形成すると共に、該筒状綴じ部の筒と平行な前記用紙の両端部を接着剤を塗布して接合する対向した接合部に形成し、前記綴じ部に穴を有する複数の紙葉を綴じ込み、前記接合部同士を合掌状に接着したことを特徴とするものである。
【０００９】
本考案における、一枚の用紙は、単数枚の用紙又は単一または複数の用紙を積層接着して一枚の用紙に形成した用紙のいずれであってもよい。また、筒状綴じ部は、円形断面のほか任意の多角形断面に形成したものとすることができる。更に、用紙の材質は、天然パルプを使用した紙が最も望ましいが、焼却しても有害物質が出ない合成紙系の用紙であってもよい。
【００１０】
筒状綴じ部が多角形断面の場合には、その稜線に沿って折り目線を形成すると曲げ易く、見栄えもよい。また、本考案では、少なくとも２つの筒状綴じ部を一枚の用紙で形成すると共に、前記筒状綴じ部に連続した対向する接合部の一方を、隣接した筒状綴じ部の接合部と一体に形成したものでもある。
【考案の効果】
【００１１】
本考案のリング状紙製綴じ具は、一枚の用紙の中間部を中空筒状に曲げて筒状綴じ部を形成すると共に、該筒状綴じ部の筒と平行な前記用紙の両端部を接着剤を塗布して接合する対向した接合部に形成し、前記綴じ部に穴を有する複数の紙葉を綴じ込み、前記接合部同士を合掌状に接着したので、従来のリング状綴じ具と同様な機能を備え、しかもリサイクルなどを簡単に行うことができる。
【００１２】
即ち、本考案のリング状紙製綴じ具は、一枚の用紙からなっているため、それに綴っている紙葉と一緒に、分別することなしにそのまま廃棄することができ、又、リサイクルも容易に行うことができる。しかも、綴じ具の表面には色彩、図形、文字などを簡単に印刷することができるので、デザイン上の自由度が高く、これを低コストで実施することができる。そして、接合部同士を合掌状に接着することで閉断面構造にし、筒状綴じ部に通される複数の紙葉を綴じ込んでいるため、従来のこの種のリング状綴じ具と同様に、複数の紙葉を綴じることができて、使用者が違和感を憶えることなく使うことができる。
【考案を実施するための最良の形態】
【００１３】
以下、添付図を参照して本考案リング状綴じ具の実施を説明する。添付図において、図１は本考案リング状綴じ具の実施の形態の一例を示す斜視図、図２は図２の２−２線に沿う拡大断面図、図３は図１及び図２に示すリング状紙製綴じ具を備える卓上カレンダーの斜視図、図４は図３に示す卓上カレンダーの本考案リング状紙製綴じ具付近を断面として表した説明図、図５は本考案リング状綴じ具の実施形態の他例を示す斜視図、図６は図５に示すリング状紙製綴じ具の展開図である。
【００１４】
本考案によるリング状紙製綴じ具１０は、図１及び図２に示すように、筒状綴じ部１１と、綴じ部１１の両側に連なる一対の対向する接合部１２，１３とを備えている。
【００１５】
筒状綴じ部１１と接合部１２，１３は、ここでは一例として一枚の厚紙によって形成されている。本考案における用紙は、単一枚の厚紙のほか、少なくとも２枚の用紙を積層接着して厚紙状にしたものであってもよい。ここで、筒状綴じ部１１は、円筒体状１４に形成されているが、厚紙に四本の折り目線を山折り曲げることによって、断面四角形の筒状に形成してもよい。折り目線は、厚紙の厚みを線状に薄くすることによって、又は、浅い切れ込みを一直線上に設けるなどによって形成する。
【００１６】
接合部１２は、前記厚紙による筒状綴じ部１１の両側に対をなすように形成されており、対向面が接着剤１８によって合掌状に接合されている。接着剤１５としては、例えば澱粉系の糊が好ましく、化学系糊であれば燃やしても有毒ガスを発生しないものが使用される。
【００１７】
本考案リング状紙製綴じ具１０によって綴じられる紙葉２０は、ノートブックの紙葉、写真アルバムの台紙や書籍のページを構成する紙葉などであり、各紙葉の一側縁に沿って綴じ孔２１が開口されている。紙葉２０は、接合部１２，１３を接合していない状態にある本考案綴じ具１０の綴じ部１１に各紙葉２０の綴じ孔２１に通したあと、円筒体状１４に曲げ、複数の紙葉２０を保持する断面略四角形の筒状綴じ部１１に形成すると共に、接合部１２，１３の対向面を接着剤１５で合掌状に接合することにより綴じられたノートブックやカレンダーなどに製本される。
【００１８】
本考案天然紙製綴じ具１０は、上記のように綴じ部１１に連らなる接合部１２，１３を合掌状に接合一体化することにより閉断面構造に形成し、筒状綴じ部１１を通された複数の紙葉２０を綴じるので、各紙葉２０を強固に綴ることができる。よって、本考案綴じ具は、通常の合成樹脂や金属のリング状綴じ具と同じに使うことができ、使用者が違和感を憶えることなく、使用することができる。さらに、綴じる対象物である紙葉２０と同じようにすべて天然の紙から形成されているため、分別せずに、そのまま捨てることができて、廃棄がきわめて簡単である。また、綴じ具１０の表面には適宜の色彩、図形、文字などを簡単にかつ低コストで印刷することができるので、グラフィックデザイン上の自由度も高い。
【００１９】
上述した本考案綴じ具１０は、例えば、図３に示す卓上カレンダーに使用される。
【００２０】
カレンダー紙葉２０Ａは、図４において６枚だけ示されているが、実際には、例えば表紙を含めて１３枚あり、１２枚に各々に月、日及び曜日を示す文字やメモ欄などが印刷されている。上縁は、綴じ代となっていて、ここに長方形状の綴じ孔２１が左右側に二個明けられている。カレンダー台３０は、三角柱状に厚紙を折り曲げたもので、折り目線３１ａ，３１ｂを山折りし、中間にある折り目線３１ｃを谷折りして中空三角筒状に形成することにより、一側面がカレンダー紙葉２０Ａと同サイズに重なり合うようになっている。カレンダー台３０の上端にも、綴じ孔２１と同じサイズの綴じ孔３２が明けられている。なお、これらの折り目線３１ａ〜３３ｃも、厚紙の厚みを直線状に薄くすることによって、又、浅い切れ込み線を一直線上に設けることによって形成される。
【００２１】
本考案紙製綴じ具１０，１０は、カレンダー紙葉２０Ａ及びカレンダー台３０を左右一対（左右の２個）をなす綴じ部１１，１１で綴じられている。即ち、平坦な状態において本考案によるリング状紙製綴じ具１０の綴じ部１１，１１をカレンダー紙葉２０Ａの綴じ孔２１，２１とカレンダー台３０の綴じ孔に通したあと、円筒体状１４に曲げ、左右のそれぞれの接合部１２，１３の対向面に接着剤を塗布して合掌状に接合することで、カレンダー紙葉２０Ａとカレンダー台３０を綴じている。
【００２２】
本考案紙製綴じ具１０によって綴じられたカレンダーは、従来のリング状綴じ具と同様に機能し、カレンダー紙葉２０Ａを容易にめくることができる。そして、カレンダー自体が不用になったら、綴じ具を外すことなくそのまま廃棄してリサイクルすることができ、又、そのまま焼却しても全ての材料が紙製であるから環境を損ねる有毒ガスなどが発生しない。
【００２３】
左右で２組の合掌接合部１２，１３の長さは、任意であるが接着剤１５の接着強度などによって適宜決めればよい。また、接着した各接合部１２，１３は紙葉２０Ａと表紙の間に位置させることにより、図４に示すように、葉の下に隠れるので、カレンダー紙葉２０Ａの表示を邪魔しない。
【００２４】
図５，図６は本考案紙製綴じ具の他の構成例を示している。この綴じ具１０は、左右一対の綴じ部１１，１１における接合部の一方を一体化した形態のものである。
【００２５】
図６に示すように、この綴じ具１０は、展開状態において、下向きのコ字状の一枚の紙からなるもので、両脚となる左右の綴じ部１１，１１の下部端付近にそれぞれの一方の接合部１３，１３が形成され、それらの上に円筒体状１４に曲げた２つの筒状綴じ部１１，１１が形成され、他方の接合部１２が左右の綴じ部１１，１１と連続した一体形となっている。
【００２６】
図６の綴じ具１０によるカレンダー紙葉などの紙葉２０の綴りは、図６に示すように、個々の接合部１３，１３を綴じ孔２１，２１に通し、円筒体状１４に曲げて左右の筒状綴じ部１１，１１を形成したあと、個々の接合部１３，１３を左右一体形の接合部１２に接着剤１８によって貼り付けることによりなされる。
【００２７】
なお、以上説明したリング状紙製綴じ具において、筒状綴じ部は円筒体状に形成したが、断面四角形の筒状、三角、六角などの他の多角形断面に形成してもよい。また、異形断面の丸形（長円や楕円など）に形成してもよい。
【産業上の利用可能性】
【００２８】
本考案は以上の通りであって、本考案リング状紙製綴じ具は、従来のこの種のリング状綴じ具と同様に機能して、紙葉を容易にめくることができ、不用になったら、本体と綴じ具がすべて紙からなっているため、そのまま分別せずに廃棄して、リサイクルすることができ、焼却しても有毒ガスなどを発生しない。そして、合掌接合部の面積が大きいので、会社名などを印刷したり、色彩を紙葉２０に関連して変えたりすることで、使用者の注目を引くことができ、宣伝媒体としても有効である。
【図面の簡単な説明】
【００２９】
【図１】本考案リング状綴じ具の実施の形態の一例を示す斜視図。
【図２】図２の２−２線に沿う拡大断面図。
【図３】図１及び図２に示すリング状紙製綴じ具を備える卓上カレンダーの斜視図。
【図４】図３に示す卓上カレンダーの本考案リング状紙製綴じ具付近を断面として表した説明図。
【図５】本考案リング状綴じ具の実施形態の他例を示す斜視図。
【図６】図５に示すリング状紙製綴じ具の展開図。
【符号の説明】
【００３０】
１０            リング状紙製綴じ具
１１            筒状綴じ部
１２，１３      合掌接合部
１４ 円筒体状
１５            接着剤
２０            紙葉
２０Ａ          カレンダー紙葉
２１            綴じ孔
３０            カレンダー台
３１ａ〜３３ｃ  折り目線
【手続補正２】
【補正対象書類名】図面
【補正対象項目名】全図
【補正方法】変更
【補正の内容】
【図１】
0003121146.tif 000009
【図２】
0003121146.tif 000010
【図３】
0003121146.tif 000011
【図４】
0003121146.tif 000012
【図５】
0003121146.tif 000013
【図６】
0003121146.tif 000014